(57)【要約】【課題】強度を有しながら、軽量化でき、かつ、形状や色彩、さらには、構成部材に使用する材料の自由度が大きく、製品の価格を低廉にできる合成樹脂製のエクステリアポールを提供すること。【解決手段】立設支持部材１と、立設支持部材１に固定される合成樹脂製の芯部材２と、芯部材２の外側を覆う合成樹脂製の筒状のカバー部材３と、カバー部材３の上端に設置される蓋部材４とからなり、芯部材２が、立設支持部材１に外嵌する筒状部２１と、筒状部２１の外面から放射状に延びる連結片２２と、連結片２２の外周側先端に形成され、カバー部材３の内面に面状に当接する面状支持片２３とからなる。【選択図】図１
2015232214.tif 000002
【特許請求の範囲】
【請求項１】
立設支持部材と、立設支持部材に固定される合成樹脂製の芯部材と、芯部材の外側を覆う合成樹脂製の筒状のカバー部材とからなり、前記芯部材が、立設支持部材に外嵌する筒状部と、筒状部の外面から放射状に延びる連結片と、連結片の外周側先端に形成され、カバー部材の内面に面状に当接する面状支持片とからなることを特徴とするエクステリアポール。
【請求項２】
カバー部材が、角筒状をし、面状支持片が、カバー部材の各内面の幅方向の中心位置に長手方向に当接するようにされてなることを特徴とする請求項１記載のエクステリアポール。
【発明の詳細な説明】
【技術分野】
【０００１】
本発明は、エクステリアポールに関し、特に、合成樹脂製のエクステリアポールに関するものである。
【背景技術】
【０００２】
従来、住宅の外回りに、パーティションの用途で、また、車止め、手摺り、インターホン、ポスト、照明、フラワーハンガー等の機能を付与したり、アクセントを持たせるためにエクステリアポールが設置されている。
【０００３】
ところで、従来、この種のエクステリアポールは、一定の強度が要求されることから、金属製、例えば、アルミニウム型材製のものが汎用されてきた（例えば、特許文献１〜２参照。）。
【０００４】
しかしながら、アルミニウム型材製のものは、形状の自由度が小さく、また、製造にコストがかかることから、製品の価格が高くなるという問題があった。
【０００５】
また、道路用柵や擬木製柵等に使用されるリサイクル樹脂利用支柱も提案されているが（例えば、特許文献３参照。）、強度を持たせるために鋼管製芯材や充填樹脂層を必要とし、製品の重量が大きくなるという問題があった。
【先行技術文献】
【特許文献】
【０００６】
【特許文献１】実開平２−５８５１８号公報
【特許文献２】実開平６−８２３３１号公報
【特許文献３】特開２００１−７９９６７号公報
【発明の概要】
【発明が解決しようとする課題】
【０００７】
本発明は、上記従来のエクステリアポールやリサイクル樹脂利用支柱の有する問題点に鑑み、強度を有しながら、軽量化でき、かつ、形状や色彩、さらには、構成部材に使用する材料の自由度が大きく、製品の価格を低廉にできる合成樹脂製のエクステリアポールを提供することを目的とする。
【課題を解決するための手段】
【０００８】
上記目的を達成するため、本発明のエクステリアポールは、立設支持部材と、立設支持部材に固定される合成樹脂製の芯部材と、芯部材の外側を覆う合成樹脂製の筒状のカバー部材とからなり、前記芯部材が、立設支持部材に外嵌する筒状部と、筒状部の外面から放射状に延びる連結片と、連結片の外周側先端に形成され、カバー部材の内面に面状に当接する面状支持片とからなることを特徴とする。
【０００９】
この場合において、カバー部材が、角筒状をし、面状支持片が、カバー部材の各内面の幅方向の中心位置に長手方向に当接するようにされてなるようにすることができる。
【発明の効果】
【００１０】
本発明のエクステリアポールによれば、立設支持部材と、立設支持部材に固定される合成樹脂製の芯部材と、芯部材の外側を覆う合成樹脂製の筒状のカバー部材とからなり、前記芯部材が、立設支持部材に外嵌する筒状部と、筒状部の外面から放射状に延びる連結片と、連結片の外周側先端に形成され、カバー部材の内面に面状に当接する面状支持片とからなることから、カバー部材が、カバー部材の内面に面状に当接する面状支持片によって補強することができ、大きな強度を発揮し、また、面状支持片が筒状部の外面から放射状に延びる連結片と一体的に形成されるため、構成部材の中空化によって軽量化でき、かつ、カバー部材の形状や色彩、さらには、構成部材に使用する材料の自由度が大きく、製品の価格を低廉にできる。
【００１１】
また、カバー部材が、角筒状をし、面状支持片が、カバー部材の各内面の幅方向の中心位置に長手方向に当接するようにされてなるようにすることにより、角筒状をしたカバー部材の強度が相対的に弱いカバー部材の各内面の幅方向の中心位置を、長手方向に面状に当接する面状支持片によって補強することができ、大きな強度を発揮するようにすることができる。
【図面の簡単な説明】
【００１２】
【図１】本発明のエクステリアポールの一実施例を示す組み立て説明図である。
【図２】本発明のエクステリアポールの実施例を示す断面図である。
【発明を実施するための形態】
【００１３】
以下、本発明のエクステリアポールの実施の形態を、図面に基づいて説明する。
【００１４】
図１〜図２（ａ）に、本発明のエクステリアポールの一実施例を示す。
このエクステリアポールは、立設支持部材１と、立設支持部材１に固定される合成樹脂製の芯部材２と、芯部材２の外側を覆う合成樹脂製の筒状のカバー部材３と、カバー部材３の上端に設置される合成樹脂製の蓋部材４とからなり、芯部材２が、立設支持部材１に外嵌する筒状部２１と、筒状部２１の外面から放射状に延びる連結片２２と、連結片２２の外周側先端に形成され、カバー部材３の内面に面状に当接する面状支持片２３とからなるようにしている。
【００１５】
立設支持部材１は、ポリ塩化ビニル樹脂、ポリオレフィン樹脂等の合成樹脂材料やこれらの合成樹脂のリサイクル材料、アルミニウム、鉄等の金属材料からなるパイプ材や中実丸棒から構成するようにする。
そして、立設支持部材１は、コンクリート等からなる基礎に直接埋設したり、金属板、コンクリートブロック等からなるベース部に固着することにより、自立するように設置するようにする。
ここで、立設支持部材１の長さは、基礎に埋設等する自立するために必要な部分の長さと、芯部材２の筒状部２１が外嵌される部分の長さとを合計した長さとなるが、このうち、芯部材２の筒状部２１が外嵌される部分の長さは、エクステリアポールが必要とされる強度に合わせて、芯部材２の全長の２０〜１００％程度の長さに設定するようにする。
【００１６】
芯部材２は、立設支持部材１に外嵌する筒状部２１と、筒状部２１の外面から放射状に延びる連結片２２と、連結片２２の外周側先端に形成され、カバー部材３の内面に面状に当接する面状支持片２３とからなり、ポリ塩化ビニル樹脂、ポリオレフィン樹脂等の合成樹脂材料やこれらの合成樹脂のリサイクル材料から構成され、押出成形等の公知の方法によって一体成形される。
ここで、芯部材２の長さは、立設支持部材１及び蓋部材４との兼ね合いもあるが、カバー部材３の長さと略同じ長さに設定するようにする。
【００１７】
筒状部２１は、立設支持部材１に外嵌したとき、がたつきが生じないように、すきま嵌め程度の公差を以て立設支持部材１の外径寸法及び筒状部２１の内径寸法を設定するようにする。
【００１８】
筒状部２１の外面から放射状に延びる連結片２２は、カバー部材３の形状に合わせて、本実施例においては、カバー部材３の各内面の幅方向の中心位置を指向するように、筒状部２１の外面から９０°の等角度間隔で延びるように形成するようにしているが、例えば、カバー部材３が６角形の場合には、筒状部２１の外面から６０°の等角度間隔で延びるように形成するようにする。
【００１９】
連結片２２の外周側先端に形成され、カバー部材３の内面に面状に当接する面状支持片２３は、カバー部材３の形状に合わせて、本実施例においては、カバー部材３の各内面の幅方向の中心位置に長手方向に当接するように形成するようにする。
これにより、例えば、角筒状をしたカバー部材３の強度が相対的に弱いカバー部材３の各内面の幅方向の中心位置を、長手方向に面状に当接する面状支持片２３によって補強することができ、大きな強度を発揮するようにすることができる。
なお、面状支持片２３は、カバー部材３の内面に面状に当接するように、図１〜図２（ａ）及び図２（ｂ）に示すように、カバー部材３の形状が多角形の場合は、カバー部材３との当接面を平面状に、図２（ｃ）に示すように、カバー部材３の形状が円形の場合は、カバー部材３との当接面を円弧面状に、それぞれ形成するようにする。
【００２０】
カバー部材３は、ポリ塩化ビニル樹脂、ポリオレフィン樹脂等の合成樹脂材料やこれらの合成樹脂のリサイクル材料から構成され、押出成形等の公知の方法によって一体成形される。
この場合、意匠性や耐候性（耐久性）を考慮して、カバー部材３を２層以上の層構成とすること、具体的には、内層をリサイクル材料から構成し、外層を意匠性（着色や模様等）及び耐候性（耐紫外線等）を有する合成樹脂材料から構成することができる。
ここで、カバー部材３を２層以上の層構成とする方法としては、押出成形等の公知の方法によって一体成形する方法のほか、押出成形等の公知の方法によって成形した内層を形成する部材に対して、フィルムを貼り付けたり、合成樹脂材料を塗布することによって、意匠性（着色や模様等）及び耐候性（耐紫外線等）を有する外層を形成する方法を採用することもできる。
【００２１】
ここで、カバー部材３は、芯部材２に外嵌することによって、芯部材２の外側を覆ったとき、がたつきが生じないように、すきま嵌め程度の公差を以て芯部材２の外形寸法及びカバー部材３の内形寸法を設定するようにする。
【００２２】
カバー部材３の形状は、図１〜図２（ａ）及び図２（ｂ）に示すように、多角形としたり、図２（ｃ）に示すように、円形としたり、その他、正多角形以外の矩形や楕円形等の任意の形状にすることができる。
この場合、角部と比べて強度が相対的に弱いカバー部材３の各内面の幅方向の中心位置を、長手方向に面状に当接する面状支持片２３によって補強するようにすることが好ましい。
【００２３】
カバー部材３の上端に設置される蓋部材４は、意匠性に加え、エクステリアポールの内部に雨水等が入り込むことを防止するためのもので、カバー部材３と同様、ポリ塩化ビニル樹脂、ポリオレフィン樹脂等の合成樹脂材料やこれらの合成樹脂のリサイクル材料から構成され、射出成形等の公知の方法によって成形される。
【００２４】
このエクステリアポールは、自立するように設置した立設支持部材１に、芯部材２を、芯部材２の筒状部２１を外嵌し、芯部材２の外側をカバー部材３で覆い、カバー部材３の上端に蓋部材４を設置して組み立てるようにする。
この場合、立設支持部材１と、芯部材２及びカバー部材３とを、接着剤やビス等によって一体的に固着することもできる。
【００２５】
このエクステリアポールは、カバー部材３が、カバー部材３の内面に面状に当接する面状支持片２３によって補強することができ、大きな強度を発揮し、また、面状支持片２３が筒状部２１の外面から放射状に延びる連結片２２と一体的に形成されるため、構成部材の中空化によって軽量化でき、かつ、カバー部材３の形状や色彩、さらには、構成部材に使用する材料の自由度が大きく、製品の価格を低廉にできる利点を有している。
【００２６】
以上、本発明のエクステリアポールについて、その実施例に基づいて説明したが、本発明は上記実施例に記載した構成に限定されるものではなく、その趣旨を逸脱しない範囲において適宜その構成を変更することができるものである。
【産業上の利用可能性】
【００２７】
本発明のエクステリアポールは、強度を有しながら、軽量化でき、かつ、形状や色彩、さらには、構成部材に使用する材料の自由度が大きく、製品の価格を低廉にできることから、住宅の外回りに、パーティションの用途で、また、車止め、手摺り、インターホン、ポスト、照明、フラワーハンガー等の機能を付与したり、アクセントを持たせるためのエクステリアポールの用途に広く用いることができる。
【符号の説明】
【００２８】
１  立設支持部材
２  芯部材
２１  筒状部
２２  連結片
２３  面状支持片
３  カバー部材
４  蓋部材
【図１】
2015232214.tif 000003
【図２】
2015232214.tif 000004